(57)【要約】【課題】アッパーキャビネットの前面扉の後面に取り付け、前面側に移動して使用可能なラックを備える構成とすることで、ラックを、前面扉の前側と後方のアッパーキャビネットの下方空間に簡単に出し入れ可能としてに、手軽に使用しやすくする。【解決手段】ラック１５は、棚部１６と、回転軸部１７と、棚部１６を回転軸部１７に繋ぐ連結部１８と、を備え、回転軸部１７をアッパーキャビネット１の前面扉２の後面に、回転軸固定部２８で回転可能に取り付けて、非使用時には、連結部１８を収納時固定部２９に着脱可能に固定して前面扉２の後方に収納し、使用時には、前面扉２を開いて棚部１６を、回転軸部１７を中心に回転して前面扉２の前面側に移動し水平状態にして、連結部１８を使用時固定部３１に着脱可能に固定し、ラックとして使用可能とする。【選択図】図４
2019111249.tif 000002
【特許請求の範囲】
【請求項１】
壁面に取り付けられるアッパーキャビネットであって、前面扉、左右上下の壁から成る周壁および背面壁を有し、内部が収納空間とされた収納棚を備え、さらに、前面扉の後面に取り付けられ、前面扉の前面側に移動して使用可能なラックを備えることを特徴とするアッパーキャビネット。
【請求項２】
請求項１に記載のアッパーキャビネットであって、ラックは棚部と前面扉の後面に取り付けられる回転軸部を備え、回転軸部を中心に回転することで棚部が前面扉の前面側に移動され、ラックとして使用可能となることを特徴とするアッパーキャビネット。
【請求項３】
請求項２に記載のアッパーキャビネットであって、ラックは回転軸部と棚部を繋ぐ連結部を備えていることを特徴とするアッパーキャビネット。
【請求項４】
請求項３に記載のアッパーキャビネットであって、連結部が伸縮可能に構成されていることを特徴とするアッパーキャビネット。
【請求項５】
請求項３または４に記載のアッパーキャビネットであって、連結部と棚部の接合部がヒンジとして形成されており、さらに接合部が回転角規制構造を有することを特徴とするアッパーキャビネット。
【請求項６】
請求項２から４のいずれかに記載のアッパーキャビネットであって、前面扉の後面にはラックが固定される固定部として、回転軸部固定部と収納時固定部と使用時固定部が設けられており、収納時固定部と使用時固定部はラックが着脱可能に設けられるように構成されていることを特徴とするアッパーキャビネット。
【発明の詳細な説明】
【技術分野】
【０００１】
本発明は、キッチン等に設置されるアッパーキャビネットに関するものであり、特に、ラック（例えば、物品の載置棚、ブックスタンド等）を備えたアッパーキャビネットに関するものである。
【背景技術】
【０００２】
キッチンにおいてレシピ等の本を読みながら調理、炊事等の作業する場合は、本を立てかけるためのブックスタンドをキッチンの天板に置いて使用することが行われている。
【０００３】
一方、従来、キッチンのキャビネットにブックスタンドが設けられている構成が知られている。例えば、台所用の吊り戸棚本体の下部にブックスタンドが固定され、該ブックスタンドを、吊り戸棚本体の下部に形成されているスタンド収納部内へ格納可能する構成が知られている（特許文献１参照）。
【０００４】
また、ブックスタンドの上端を、台所の流し台上方に取り付けられる家具の下面に枢着して、家具から下方へ垂下される垂直状態と家具の下面に沿う水平状態との間でブックスタンドを上下回動自在に取り付け、前方から見えないようにする幕板を設ける構成が知られている（特許文献２参照）。
【０００５】
そして、厨房台の吊り戸棚の下面側に、鏡と鏡の前面側に装置された本押え部材とより成る本立て具を、バックパネルに枢着して下垂状態として使用し、かつ本立て具を下垂状態から吊り戸棚下面に沿う水平位置に持ち上げて収納させるようにした構成が知られている（特許文献３参照）。
【０００６】
さらに、キッチンの壁に取り付けられるシェルフにおいて、棚部材の背板部の前面側にブックホルダー体が取り付けられることで、シェルフからブックスタンドへと変更することができる構成が知られている（特許文献４参照）。
【先行技術文献】
【特許文献】
【０００７】
【特許文献１】特開平４−１７４６０９号公報
【特許文献２】実公平７−１１６３６号公報
【特許文献３】実開昭５０−４１８５３号公報
【特許文献４】特開２００６−２１２２２１号公報
【発明の概要】
【発明が解決しようとする課題】
【０００８】
上記のとおり、天板の上にブックスタンドを置いて調理や炊事等の作業する場合は、ブックスタンドを置く場所をとるために、天板における調理等の作業をするためのスペースを使ってしまうだけでなく、天板は調理や炊事の作業場所に近いために、ブックスタンドに置いた本が汚れるという問題もある。
【０００９】
特許文献１に記載のブックスタンドは、使用時には戸棚の下方にセットするために、本は使用者から遠くになり、見えにくくなるという問題が考えられる。特許文献２に記載のブックスタンドは、水平状態にして家具の下部に収納した際に前方から見にくくするための幕板が必要となり、部品点数が増えるという問題が考えられる。
【００１０】
特許文献３に記載の本載置部材は、水平位置にして吊り戸棚の下方に収納した状態では、前方から本載置部材は露出して見えるので、見た目も好ましくない。さらに、特許文献４に記載のブックスタンドは、棚部材の背板部にブックスタンドを使用の都度、取り付ける必要があるので、手間がかかるものと考えられる。
【００１１】
なお、特許文献１〜３に記載のブックスタンド、本載置部材等は、いずれも戸棚等の底部下方に設けられているために、ブックスタンド、本載置部材等の使用時および収納時（退避時）には、戸棚等の底部近くまでアクセスするために、使用者は、上方かつ奥行き方向まで手を伸ばして作業をしなくてはならず、使用勝手は必ずしも良いとは言えない。
【００１２】
本発明は、キッチンのアッパーキャビネットに、小物物品を載置するラックや本等を立てかけて支持するラックを取り付ける際に、上記従来のブックスタンドを戸棚等に設ける構成によって生じるような問題を解決することを目的とするものであり、簡単に出し入れ可能で手軽に使用しやすいような構成のラックを備えたアッパーキャビネットを実現することを課題とする。
【課題を解決するための手段】
【００１３】
本発明は上記課題を解決するために、壁面に取り付けられるアッパーキャビネットであって、前面扉、左右上下の壁から成る周壁および背面壁を有し、内部が収納空間とされた収納棚を備え、さらに、前面扉の後面に取り付けられ、前面扉の前面側に移動して使用可能なラックを備えることを特徴とするアッパーキャビネットを提供する。
【００１４】
ラックは棚部と前面扉の後面に取り付けられる回転軸部を備え、回転軸部を中心に回転することで棚部が前面扉の前面側に移動され、ラックとして使用可能となることが好ましい。
【００１５】
ラックは回転軸部と棚部を繋ぐ連結部を備えていることが好ましい。
【００１６】
連結部が伸縮可能に構成されていることが好ましい。
【００１７】
連結部と棚部の接合部がヒンジとして形成されており、さらに接合部が回転角規制構造を有することが好ましい。
【００１８】
前面扉の後面にはラックが固定される固定部として、回転軸部固定部と収納時固定部と使用時固定部が設けられており、収納時固定部と使用時固定部はラックが着脱可能に設けられるように構成されていることが好ましい。
【発明の効果】
【００１９】
本発明によると、アッパーキャビネットを、その前面扉の後面に取り付けられ前面側に移動して使用可能なラックを備える構成としたので、ラックを、使用時にはアッパーキャビネットの前面扉の前面側に移動し、また非使用時にはアッパーキャビネットの下方かつ前面扉の後方の空間内に収納することができ、出し入れの手間が簡単で、手軽に使用しやすくなる。
【図面の簡単な説明】
【００２０】
【図１】本発明に係る実施例１のアッパーキャビネットの実施例１を示し、（ａ）は全体構成の斜視図であり、（ｂ）は垂直断面図であり、（ｃ）はラックの使用状態の姿勢における斜視図である。
【図２】上記実施例１を説明する図であり、（ａ）は前扉の後面に取り付けたラックの収納状態を示す斜視図であり、（ｂ）は前扉の後面に回転軸部を回転可能に取り付ける回転軸部固定部を示す斜視図であり、（ｃ）は連結部を前扉の後面に着脱可能に固定する収納時固定部および使用時固定部を示す斜視図である。
【図３】上記実施例１を説明する図であり、（ａ）および（ｂ）は、前扉の後面に取り付けたラックを前方に回転する状態を示す斜視図および側面図である。
【図４】上記実施例１を説明する図であり、（ａ）および（ｂ）は、ラックを前扉の前側にセットした使用状態を示す斜視図および側面図である。
【図５】本発明に係る実施例２のアッパーキャビネットを説明する図であり、（ａ）はラックの使用時の姿勢における斜視図であり、（ｂ）はラックの収納状態を示す側面図であり、（ｃ）はラックの使用時の状態を示す側面図である。
【図６】本発明に係るアッパーキャビネットの実施例２におけるラックの変形例を説明する図であり、（ａ）は変形例のラックの使用時の姿勢における斜視図であり、（ｂ）および（ｃ）はそれぞれ変形例のラックの蓋を閉じた状態および開いた状態を示す側面図である。
【図７】本発明に係る実施例３のアッパーキャビネットを説明する図であり、（ａ）はラックの使用時の姿勢における斜視図であり、（ｂ）はラックの連結部と棚部を回転可能に接合する接合部（ヒンジ）の構成を示す分解斜視図である。
【図８】上記実施例３の作用を説明する側面図であり、（ａ）はラックの棚部を前面扉の後方に収納した状態を示し、（ｂ）はラックを前扉の前方側に回転して移動する状態を示し、（ｃ）はラックの使用状態を示す。
【図９】本発明に係る実施例４のアッパーキャビネットを説明する側面図であり、（ａ）はラックを前面扉の後方に収納した状態を示し、（ｂ）〜（ｃ）はそれぞれラックの使用状態を示し、（ｂ）はラックの棚部を最上位にセットした使用状態を示し、（ｃ）はラックの棚部を中位の高さにセットした使用状態を示し、（ｄ）はラックの棚部を最下位にセットした使用状態を示す。
【図１０】本発明に係る実施例５のアッパーキャビネットを説明する側面図であり、（ａ）はラックを前面扉の後方に収納した状態を示し、（ｂ）〜（ｃ）はそれぞれラックの使用状態を示し、（ｂ）はラックの棚部を最上位にセットした使用状態を示し、（ｃ）はラックの棚部を中位の高さにセットした使用状態を示し、（ｄ）はラックの棚部を最下位にセットした使用状態を示す。
【図１１】本発明に係る実施例６のアッパーキャビネットを説明する側面図であり、（ａ）はラックの棚部を最下位にセットした使用状態を示し、（ｂ）はラックの棚部を回転して移動する状態を示し、（ｃ）はラックを前面扉の後方に収納した状態を示す。
【発明を実施するための形態】
【００２１】
本発明に係るアッパーキャビネットを実施するための形態を実施例に基づき図面を参照して、以下説明する。
【実施例】
【００２２】
（実施例１）
本発明に係るアッパーキャビネットの実施例１を、図１〜図４を参照して説明する。この実施例１のアッパーキャビネット１は、図１（ａ）に示すように、前面扉２、周壁３および背面壁４を有し、内部が収納空間とされた収納棚５を備えている構成である。
【００２３】
ここで周壁３は、左右上下の壁、即ち左右の側壁、底壁および頂壁から成るものを意味する。なお、本明細書および本発明では、アッパーキャビネット１を正面から見て、手前側を前方とし、背面側（奥方向）を後方とし、左右側を左右方向とする。
【００２４】
通常、アッパーキャビネット１の前面扉２の下端は、図１（ａ）、（ｂ）に示すように、底壁９の高さより下方である。これによって、前面扉２の下部１０の後方かつ底壁９の下方には、前面扉２で遮蔽され前方から直接見えない空間１１が形成されている。
【００２５】
本発明のアッパーキャビネット１の特徴は、図１（ｂ）に示すように、前面扉２の下部１０の後面に取り付けられ、非使用時には上記空間１１内に前方から見えないように収納され、使用時には前面扉２の前面側に移動して使用可能とするラック１５を備えている構成である。
【００２６】
実施例１におけるラック１５は、杆材が図１（ｃ）に示すように折り曲げられて形成されており、棚部１６と、前面扉２の後面に回転可能に取り付けられる回転軸部１７を備え、さらに、回転軸部１７と棚部１６を繋ぐ連結部１８を備えている。
【００２７】
ラックは、載置する物品によって簡単な構造から若干複雑な構造のものまで、いろいろな構成が考えられるが、本実施例１では、特に料理レシピ等の本を載置するブックシェルフ等として使用されるラック１５を例に挙げて説明する。
【００２８】
本実施例１におけるラック１５は、その棚部１６が、回転軸部１７を中心に、図２（ａ）の位置から図３に示すように回転して図４に示す前面扉２の前面側に移動し、ラックとして使用可能となる。さらに、ラック１５の各部について詳細に説明する。
【００２９】
棚部１６は、略Ｌ字型に形成された左右の側部２１と、左右の側部２１の先端を橋絡する橋絡杆２２を備えている。左右の側部２１は、その使用状態の姿勢（図１（ｃ）、図４参照）において、それぞれ水平前後方向に延びる側杆２３と、側杆２３の先端（前端）から上方向に延びる係止杆２４と、を備えている。橋絡杆２２は、左右の係止杆２４の先端を橋絡するように設けられている。
【００３０】
回転軸部１７は、その左右の両端が、それぞれ左右の連結部１８に連続している。左右の連結部１８は、それぞれ使用状態の姿勢において、図１（ｃ）に示すように、回転軸部１７に対して直角で下方に延び、さらにその先端（下端）において、接合部２７で左右の側部２１に連続している。これによって、連結部１８は、回転軸部１７と棚部１６を繋ぐ構成となっている。
【００３１】
回転軸部１７は、図１（ｂ）、図２（ａ）、（ｂ）に示すように、回転軸部固定部２８によって前面扉２の後面に回転可能に取り付けられている。回転軸部固定部２８は、図２（ｂ）に示すように、断面略Ω字形の軸受部材から成る。
【００３２】
図１（ｂ）、図２（ａ）は、ラック１５の非使用時における収納状態を示すが、この状態では、左右の連結部１８は、前面扉２の後面に沿って回転軸部１７から上方に延びる姿勢となっており、収納時固定部２９によって、前面扉２の後面に着脱可能に固定されている。収納時固定部２９は、図２（ｃ）に示すように、連結部１８を挟持して固定する弾性を有する挟持部材３０を備えている。
【００３３】
図４（ａ）、（ｂ）は、ラック１５の使用状態を示すが、この状態では、連結部１８は前面扉２（図４（ａ）では２点鎖線で示す）の後面に沿って回転軸部１７から下方に向けて延びる姿勢となっており、使用時固定部３１によって着脱可能に固定されている。使用時固定部３１は、連結部１８を挟持して固定する弾性を有する挟持部材３０を備え、収納時固定部２９（図２（ｃ）参照）と同じ構成であるので、同じ図２（ｃ）で示す。  
【００３４】
（作用）
上記構成から成る実施例１のアッパーキャビネット１の使用等を通して作用を説明する。ラック１５は、図２（ａ）に示す非使用時の収納状態では、その連結部１８が前面扉２の後面に沿って上方に延び、収納時固定部２９によって挟持され固定されている。
【００３５】
これによって、棚部１６は、図１（ｂ）に示すように、前面扉２の後方かつ底壁９の下方の空間１１内で、略水平姿勢に保持されている。そのため、ラック１５の収納状態では、前方から見ても、ラック１５は前面扉２に隠れて見えないので、キッチンの見た目を悪くすることはない。
【００３６】
ラック１５を使用する際には、前面扉２を開くと、収納状態のラック１５はアッパーキャビネット１の前方側（使用者の手前側）の上方に出て位置する。これによって、使用者は、その立ち位置のすぐ傍にラック１５が位置するので、ラック１５にアクセスしやすくなる。
【００３７】
そのために、次に説明するが、ラック１５を前方に回転し、前面扉２の前面側に移動して使用状態にセットする作業をする際に、従来例のように、アッパーキャビネットの下の奥の方まで手を伸ばすような必要はなく、使用者は、自身の傍で作業を行うことができ、作業がきわめてしやすくなる。
【００３８】
このことは、前面扉２の後面にラック１５を、前面側に移動できるように回転可能に設けた構成により生じる本発明の顕著な効果であり、従来例では奏し得ない有利な効果である。
【００３９】
図１（ｂ）、図２（ａ）に示すような収納状態にあるラック１５を使用するには、使用者は、前記のとおり前面扉２を開き、ラック１５の棚部１６を、前面扉２に対して下方かつ前方の回転方向に力を入れて引き、図３（ａ）、（ｂ）に示すように、連結部１８を収納時固定部２９から外して引き出す。
【００４０】
そして、さらにラック１５を回転軸部１７を中心に前方に回転することで、棚部１６を前面扉２の前面側に移動させ、左右の連結部１８を、それぞれ回転軸部１７から前面扉２の後面に沿って下方に向けた状態で、使用時固定部３１で挟持し固定する。
【００４１】
その後で、前面扉２を閉めれば、図４（ａ）、（ｂ）に示すように、前面扉２の前面側に向けて棚部１６が略水平姿勢となり、使用状態にセットされるので、ラック１５は、ブックシェルフ等のようなラックとして使用可能となる。例えば、料理レシピ等の本３２を、図４（ｂ）に示すように、前面扉２の前面側において、棚部１６に載置して見ることができる。
【００４２】
以上のとおり、本発明に係るアッパーキャビネット１は、ラック１５を前面扉２の後面に回転可能に取り付け、かつ収納状態と使用状態になるようにそれぞれ着脱自在に固定可能とする簡単な構成によって、ラック１５を、前面扉２の後方かつ底壁９の下方の空間１内で水平姿勢とする収納状態と、前面扉２の前面側に向けて水平姿勢とする使用状態に、容易な作業でセットすることが可能である。
【００４３】
（実施例２）
本発明に係るアッパーキャビネットの実施例２を図５を参照して説明する。実施例２のアッパーキャビネット４０は、実施例１のアッパーキャビネット１と略同じであるが、アッパーキャビネット４０が備えたラック４１、特に棚部４２の構成において一部相違する。
【００４４】
ここでは、実施例２について、実施例１と相違する棚部４２の構成を中心に説明する。実施例２において、実施例１と同じ構成の部分は、以下の説明中又は図５において同じ符号を使用する。
【００４５】
実施例２のアッパーキャビネット４０のラック４１は、実施例１のラック１５と略同じであるが、棚部４２は、図５（ａ）に示すように、使用状態の姿勢において、物品を載置して収納できる収納凹部４３を備えている。
【００４６】
収納凹部４３は、左右の側杆２３の間に設けられた底部４５と、左右前後に設けられた囲い部４６と、を備えている。本実施例２では、底部４５および囲い部は４６、それぞれ横格子状および縦格子状に形成されているが、物品を載置して収納できるのであれば、樹脂板等で形成されていてもよい。
【００４７】
実施例２において、ラック４１を非使用時において収納状態にする場合は、実施例１の場合と同様であり、図５（ｂ）に示すように、連結部１８を収納時固定部２９で挟持して固定し、ラック４１を、前面扉２の後方かつ底壁９の下方の空間１１内に、略水平姿勢に保持して収納する。
【００４８】
ラック４１を使用する場合についても実施例１の場合と同様であり、回転軸部１７を中心に棚部４２を前方に回転して移動し、図５（ｃ）に示すように、棚部４２を前面扉２の前面側に略水平状態にして、連結部１８を使用時固定部３１で挟持して固定する。
【００４９】
ラック４１を、図５（ｃ）に示す使用状態にすると、図示はしないが、小物物品等を収納凹部４３内に載置して収納可能となる。また、料理レシピ等の本３２は、左右の囲い部４６の左右の部分の前端側に載置し、係止杆２４で本の下端を前側から係止して保持することで、前方から読めるようにすることができる。
【００５０】
なお、図５（ｃ）に示す本３２は、棚部４２の横幅（左右の側杆２３の間隔）より大きい場合を示す。実施例２のアッパーキャビネット４０についても、実施例１の場合と同様に、前面扉２を開き、ラック４１が使用者の近くになった状態で、ラック４１の収納状態および使用状態に切り換える作業ができるので、その作業がしやすくなる。
【００５１】
（実施例２におけるラックの変形例）
実施例２のラック４１の変形例を図６を参照して説明する。この変形例のラック５１は、実施例２のラック４１と略同じであるが、図６（ａ）〜（ｃ）に示すように、収納凹部４３の囲い部４６において、前側に開閉可能な縦格子状の蓋５２が設けられている。
【００５２】
より具体的には、ラック５１には、左右の係止杆２４の間に、橋絡杆２２と平行な前杆５３が設けられている。前杆５３より下方には、収納凹部４３の前側に向けて開口５６が形成され、この開口５６を開閉する蓋５２が設けられている。この蓋５２は、例えば、図６（ｂ）、（ｃ）に示すように、前杆５３にヒンジ５４を介して回転可能に取り付けられている。
【００５３】
以上の実施例２の変形例のラック５１によると、収納凹部４３の底部４５に載置し収納した物品を、上方からではなく、図６（ｃ）に示すように、蓋５２を前方に開いて前方から取り出すことが可能となる。なお、橋絡杆２２、前杆５３および左右の係止杆２４で囲まれた部分には、実施例２と同様に囲い部４６の一部として縦格子状の壁が形成されている。
【００５４】
（実施例３）
本発明に係るアッパーキャビネットの実施例３について、図７、図８を参照して説明する。実施例３のアッパーキャビネット６０は、実施例１のアッパーキャビネット１と略同じ構成であるが、アッパーキャビネット６０が備えたラック６１の構成において一部相違する。
【００５５】
ここでは、実施例３について、実施例１と相違するラック６１の構成を中心に説明する。実施例３において、実施例１と同じ構成の部分は、以下の説明中又は図７、図８において同じ符号を使用する。
【００５６】
実施例３におけるラック６１は、図７（ａ）に示すように、実施例１におけるラック１５と略同じ構成であり、回転軸部１７、棚部１６および連結部１８を備え、連結部１８は、回転軸部１７と棚部１６を繋ぐように構成されている。
【００５７】
実施例１におけるラック１５では、図１（ｃ）に示すように、連結部１８は接合部２７を介して棚部１６に一体となるように連続して構成されているが、実施例３におけるラック６１についても、連結部１８は接合部６２を介して棚部１６に連続している。
【００５８】
しかし、実施例３におけるラック６１の接合部６２は、実施例１のラック１５における接合部２７と異なり、ヒンジとして形成されている点を特徴としている。具体的には、接合部６２の分解構造を図７（ｂ）に示すが、連結部１８の接合端部６５および棚部１６の側杆２３の接合端部６６には、それぞれヒンジ孔６７が形成されている。
【００５９】
連結部１８と側杆２３のヒンジ孔６７を通して、枢軸となるボルト７０が挿通され、その端部にナット７１が螺着される。このような構成とすることによって、連結部１８と棚部１６は、互いに回転可能に取り付けられる。
【００６０】
さらに、接合部６２は、回転角規制構造７４を有する。回転角規制構造７４は、具体的には、連結部１８の接合端部６５と側杆２３の接合端部６６が互いに対面する面に、それぞれ規制突起７５が設けられて構成されたものである。
【００６１】
このような規制突起７５が設けられていることにより、連結部１８に対して棚部１６は、所定の角度以上回転しようとすると、規制突起７５同士が互いに係合し、それ以上の回転は規制される。
【００６２】
即ち、本実施例３においては、棚部１６は、連結部１８に対して接合部６２を中心に、図８（ａ）に示すように、時計回りで鋭角となるように近づく方向の回転は許容されるが、図８（ｂ）に示すように、反時計回りでは回転角度θが略９０°までの回転は許容されるが、９０°を超えて回転することは規制される。
【００６３】
このように接合部６２は、ヒンジとして形成され、さらに回転角規制構造７４を有するので、詳細は後記するが、棚部１６を、収納時には、連結部１８に対して鋭角的に折りたたんで前面扉２の後方の空間１１に収納でき（図８（ａ）参照）、使用時には、前面扉２の前面側に略水平な使用状態に保持することが可能となる（図８（ｃ）参照）。
【００６４】
（作用）
以上の構成からなる実施例３のアッパーキャビネット６０の作用について、その使用等を通して説明する。収納時には、ラック６１は、図８（ａ）に示すように、前後方向にコンパクトに折りたたまれ、連結部１８が収納時固定部２９で挟持されて固定され、空間１１内に収納されている。                                      
【００６５】
ラック６１を使用する際には、連結部１８を収納時固定部２９から引き出して外し、さらに図８（ｂ）に示すように、ラック６１を、回転軸部１７を中心に前方に回転して前面扉２の前面側に移動し、図８（ｃ）に示すように、ラック６１を、その連結部１８を使用時固定部３１に挟持させて固定する。回転角規制構造７４が機能することで、棚部１６を、連結部１８に対して略９０°の水平姿勢の使用状態に保持することができる。
【００６６】
ラック６１は、その収納時には、図８（ａ）に示すように、前後方向にコンパクトに折りたたむことができるので、実施例３のアッパーキャビネット６０は、前後方向の間隔（奥行幅）が比較的小さいアッパーキャビネットであっても適用可能である。
【００６７】
（実施例４）                            
本発明に係るアッパーキャビネットの実施例４について、図９を参照して説明する。実施例４のアッパーキャビネット８０は、実施例１のアッパーキャビネット１と略同じであるが、アッパーキャビネット８０が備えたラック８１の連結部８２の構成において一部相違する。
【００６８】
ここでは、実施例４について、実施例１と相違するラック８１の連結部８２の構成を中心に説明する。実施例４において、実施例１と同じ構成の部分は、以下の説明中又は図９において同じ符号を使用する。
【００６９】
実施例４におけるラック８１の連結部８２は、図９（ａ）〜（ｄ）に示すように、伸縮自在であり、かつ複数段の長さに調節して固定できる入れ子式の構造とした。本実施例４では、連結部８２は、３段階の長さに調節し固定できる入れ子式の構造とした。
【００７０】
図９（ｂ）〜（ｄ）は、いずれもラック８１は使用姿勢となっている状態を示す。この状態では、その棚部１６が前面扉２の前面側に向けられており、連結部８２は、使用時固定部３１によって前面扉２の後面に沿って固定され、棚部１６は、水平状態に保持されている。
【００７１】
使用状態において、連結部８２を伸ばすことなく最も短い状態に縮めると、図９（ｂ）に示すように棚部１６を最上位の高さとした状態で使用することができる。
【００７２】
連結部８２を中程の長さまで下方に伸ばすと、図９（ｃ）に示すように、棚部１６を最上位より若干下方の中程の高さにした状態で使用することができる。連結部８２を最大限の長さまで下方に伸ばすと、図９（ｄ）に示すように、棚部１６を最下位の高さにした状態で使用することができる。
【００７３】
図９（ｂ）に示すように、連結部８２を最も短く縮めた状態で、ラック８１を、その回転軸部１７を中心に前面扉２の後面側に回転して移動し、図９（ａ）に示すように、連結部８２を前面扉２の後面に沿わせて収納時固定部２９で挟持して固定することで、実施例１と同様な収納状態とすることが可能となる。
【００７４】
実施例４のアッパーキャビネット８０は、連結部８２を、伸縮自在かつ複数段の長さに調節して固定可能な入れ子式構造としたので、使用者の好みや目的、あるいは使用者の身長等の条件に応じて、ラック８１の棚部１６の高さを変えることができ、ラック８１は使い勝手が良くなる。
【００７５】
（実施例５）
本発明に係るアッパーキャビネットの実施例５について、図１０を参照して説明する。実施例５のアッパーキャビネット９０は、実施例２のアッパーキャビネット４０と略同じであるが、ラック９１の連結部９２の構成において一部相違する。
【００７６】
ここでは、実施例５について、実施例２と相違するラック９１の連結部９２の構成を中心に説明する。実施例５において、実施例２と同じ構成の部分は、以下の説明中又は図１０において同じ符号を使用する。
【００７７】
実施例５におけるラック９１の連結部９２は、実施例４と同様に伸縮自在かつ複数段の長さに調節して固定可能となる入れ子式の構造である。
【００７８】
図１０（ｂ）〜（ｄ）は、いずれもラック９１は使用状態となっている姿勢を示す。この状態では、その棚部４２が前面扉２の前面側に向けられており、連結部９２は、使用時固定部３１によって挟持されて前面扉２の後面に沿って固定され、棚部４２は、水平状態に保持されている。
【００７９】
ラック９１の使用状態において、入れ子式の連結部９２を伸ばすことなく最も短い状態に縮めると、図１０（ｂ）に示すように、棚部４２を最上位の高さにした状態で使用することができる。                          
【００８０】
ラック９１の使用状態において、連結部９２を中程の長さまで下方に伸ばすと、図１０（ｃ）に示すように、棚部４２を最上位より若干下方の中程の高さにした状態で使用することができる。さらに、連結部９２を最大限の長さまで下方に伸ばすと、図１０（ｄ）に示すように、棚部４２を最下位の高さにした状態で使用することができる。
【００８１】
そして、図１０（ｂ）に示すように、連結部９２を最も短く縮めた状態で、ラック９１を、その回転軸部１７を中心に前面扉２の後面側に回転して移動し、連結部９２を前面扉２の後面に沿わせて収納時固定部２９で挟持して固定することで、実施例２と同様に、図１０（ａ）に示すように、空間１１内に収納することが可能となる。
【００８２】
実施例５についても、実施例４と同様に、使用者の好みや目的、あるいは使用者の身長等の条件に応じて、ラック９１の棚部４２の高さを変えることができ、ラック９１は使い勝手が良くなる。
【００８３】
（実施例６）
本発明に係るアッパーキャビネットの実施例６について、図１１を参照して説明する。実施例６のアッパーキャビネット１００は、実施例３のアッパーキャビネット６０と略同じであるが、アッパーキャビネット１００が備えたラック１０１の連結部１０２の構成において一部相違する。
【００８４】
ここでは、実施例６について、実施例３と相違するラック１０１の連結部１０２の構成を中心に説明する。実施例５において、実施例３と同じ構成の部分は、以下の説明中又は図１１において同じ符号を使用する。
【００８５】
実施例６におけるラック１０１の連結部１０２は、実施例４と同様に、伸縮自在かつ複数段の長さに調節し固定可能となる入れ子式の構造である。ラック１０１の使用状態において、連結部１０２を、最大限の長さまで下方に伸ばすと、図１１（ａ）に示すように、棚部１６は最下位の高さとして使用できる。
【００８６】
また、図示はしないが、ラック１０１の使用状態において、連結部１０２を中程まで下方に伸ばすと、棚部１６を中程の高さで使用することできる。さらに、図示はしないが、連結部１０２を最も短い状態に縮めると、棚部１６を最上位の高さで使用することができる。
【００８７】
実施例６についても、実施例４、５と同様に、使用者の好みや目的、あるいは使用者の身長等の条件に応じて、ラック１０１の棚部１６の高さを変えることができ、ラック１０１は使い勝手が良くなる。
【００８８】
そして、連結部１０２を最も短い状態に縮めた状態で、図１１（ｂ）に示すように、ラック１０１を、その回転軸部１７を中心に前面扉２の後面側に回転して移動し、図１１（ｃ）に示すように、連結部１０２を、前面扉２の後面に沿わせて収納時固定部２９に挟持して固定する。
【００８９】
この状態では、棚部１６は、連結部１０２に対して接合部６２を中心に回転し、鋭角的な状態となるので、ラック１０１は、全体として前後方向にコンパクトに折りたたまれた状態となって、前面扉２の後方の空間１１内に収納される。
【００９０】
以上、本発明に係るアッパーキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００９１】
本発明に係るアッパーキャビネットは上記のような構成であるから、キッチンのアッパーキャビネットに限らず、比較的高い位置に設置され前扉を有するキャビネットであれば、各種のキャビネットにも適用可能である。
【符号の説明】
【００９２】
１  アッパーキャビネット
２  前面扉
３  周壁
４  背面壁
５  収納棚
９  底壁
１０  前面扉の下部                         
１１  空間                                 
１５  ラック                               
１６  棚部                                 
１７  回転軸部                             
１８  連結部                               
２１  左右の側部                     
２２  棚部の橋絡杆                           
２３  側杆                                 
２４  係止杆                               
２７  連結部と棚部の接合部                         
２８  回転軸部固定部                       
２９  収納時固定部                         
３０  挟持部材                            
３１  使用時固定部 
３２  本                        
４０  アッパーキャビネット                 
４１  ラック                               
４２  棚部                                     
４３  収納凹部                             
４５  底部                                 
４６  囲い部                               
５１  ラック                               
５２  ラックの蓋                           
５３  前杆                                 
５６  開口                                
６０  アッパーキャビネット                 
６１  ラック                               
６２  接合部                              
６５  連結部の接合端部                     
６６  橋絡杆の接合端部                       
６７  ヒンジ孔                            
７０  ボルト                                   
７１  ナット                                   
７４  回転角規制構造                           
７５  規制突起                             
８０  アッパーキャビネット                 
８１  ラック                               
８２  連結部                               
９０  アッパーキャビネット                     
９１  ラック                               
９２  連結部                               
１００  アッパーキャビネット                   
１０１  ラック                             
１０２  連結部                            
【図１】
2019111249.tif 000003
【図２】
2019111249.tif 000004
【図３】
2019111249.tif 000005
【図４】
2019111249.tif 000006
【図５】
2019111249.tif 000007
【図６】
2019111249.tif 000008
【図７】
2019111249.tif 000009
【図８】
2019111249.tif 000010
【図９】
2019111249.tif 000011
【図１０】
2019111249.tif 000012
【図１１】
2019111249.tif 000013